(57)【要約】【課題】暖機時に、両端部に配置された電池セルを優先的に加熱することが可能な電池温度調節装置を提供する。【解決手段】電池温度調節装置は、収納ケースと、電池セルと、を有する。電池セルは、所定の間隔で収納ケース内に並んでいる。電池セル間及び電池セルと収納ケースの内壁との間には温度調節媒体が流れる流路が形成される。電池セルが並ぶ方向と、温度調節媒体が収納ケース内へ流入する方向（流動方向）とは垂直である。また、温度調整媒体流入部は、収納ケースに流入した温度調節媒体を、複数の流路のうち、前記配列方向における両端部の電池セルに隣接する流路に供給する。これにより、電池温度調節装置は、両端部の電池セルを積極的にかつ優先的に暖機する。【選択図】図２
2010092722.tif 000002
【特許請求の範囲】
【請求項１】
温度調節媒体が流入する収納ケースと、
前記収納ケース内に配置され、前記温度調節媒体の流動方向と対向する配列方向に所定の間隔で並べられた複数の電池セルと、
前記収納ケース内において前記複数の電池セルに隣接して形成された複数の流路と、
前記収納ケースに流入した温度調節媒体を、前記複数の流路のうち、前記配列方向における両端部の電池セルに隣接する流路に供給する温度調節媒体流入部と、を備えることを特徴とする電池温度調節装置。
【請求項２】
前記温度調節媒体の流れを調節する１または複数の整流板をさらに備え、
前記整流板は、暖機時において、両端部の電池セルに隣接する流路を通過した温度調節媒体を、中央部の電池セルに隣接する流路に供給する請求項１に記載の電池温度調節装置。
【請求項３】
暖機時には、中央部の電池セルに隣接する流路よりも両端部の電池セルに隣接する流路に優先的に前記温度調節媒体を流し、冷却時には、両端部の電池セルに隣接する流路よりも中央部の電池セルに隣接する流路に優先的に温度調節媒体を流す制御手段を備えることを特徴とする請求項１または２に記載の電池温度調節装置。
【発明の詳細な説明】
【技術分野】
【０００１】
本発明は、車両に搭載された電池の温度を調節する技術に関する。
【背景技術】
【０００２】
従来から、キャビンの空気をブロアなどにて電池に送風することによって、高温になった電池を冷却する技術が提案されている。例えば、特許文献１には、バッテリパッケージ内に配置された複数の電池セルを均一に冷却及び加熱させるように、流入側から流出側へ距離が遠くなるほどフィン（整流板）の高さが段階的に減少するように形成された電池温度調節装置が記載されている。
【０００３】
【特許文献１】特開２００８−１３５３５８号公報
【発明の開示】
【発明が解決しようとする課題】
【０００４】
しかしながら、暖機時では、電池セルのうち両端部に配置される電池セルほど昇温が遅く、温度の低下も大きい。従って、電池セルを均一に暖機した場合、電池温度調節装置は、両端部に配置された電池セルの暖機を十分にまたは効率的に実行できない場合がある。一方、特許文献１には、上述の問題は、何ら検討されていない。
【０００５】
本発明は、上記のような課題を解決するためになされたものであり、暖機時に、両端部に配置された電池セルを優先的に加熱することが可能な電池温度調節装置を提供することを目的とする。
【課題を解決するための手段】
【０００６】
本発明の１つの観点では、電池温度調節装置は、温度調節媒体が流入する収納ケースと、前記収納ケース内に配置され、前記温度調節媒体の流動方向と対向する配列方向に所定の間隔で並べられた複数の電池セルと、前記収納ケース内において前記複数の電池セルに隣接して形成された複数の流路と、前記収納ケースに流入した温度調節媒体を、前記複数の流路のうち、前記配列方向における両端部の電池セルに隣接する流路に供給する温度調節媒体流入部と、を備える。
【０００７】
上記の電池温度調節装置は、ハイブリッド車両や電気自動車などに好適に適用される。電池温度調節装置は、収納ケースと、電池セルと、を有する。電池セルは、所定の間隔で収納ケース内に並んでいる。電池セル間及び電池セルと収納ケースの内壁との間には温度調節媒体が流れる流路が形成される。温度調節媒体は、例えば車両の客室の暖機された空気、その他水などの流体が該当する。電池セルが並ぶ方向と、温度調節媒体が収納ケース内へ流入する方向（流動方向）とは対向する。即ち、電池セルが並ぶ方向と、温度調節媒体の流動方向とは、互いに交差する向きであり、例えば両者は垂直関係である。また、温度調整媒体流入部は、収納ケースに流入した温度調節媒体を、複数の流路のうち、前記配列方向における両端部の電池セルに隣接する流路に供給する。
【０００８】
一般的に、暖機時において両端部（両端付近）の電池セルは、中央部（中央寄り）の電池セルに比べて昇温が遅い。これに対し、上記の電池温度調節装置は、配列方向における両端部の電池セルに隣接する流路に供給する温度調整媒体流入部を設けることにより、両端部の電池セルを積極的にかつ優先的に暖機する。従って、電池温度調節装置は、電池セルを効率的に昇温させることができる。
【０００９】
上記の電池温度調節装置の一態様では、前記温度調節媒体の流れを調節する１または複数の整流板をさらに備え、前記整流板は、暖機時において、両端部の電池セルに隣接する流路を通過した前記温度調節媒体を、中央部の電池セルに隣接する流路に供給する。
【００１０】
この態様では、電池温度調節装置は、収納ケース内に整流板を有する。流路は、例えば、並べられた電池セル間に形成された隙間である。整流板は、両端部の電池セルに隣接する流路を通過した温度調節媒体を、中央部の電池セルに隣接する流路に供給可能に設置される。このようにすることで、電池温度調節装置は、両端部の電池セルを優先的に暖機しつつ、中央部の電池セルの暖機も実行することができる。
【００１１】
上記の電池温度調節装置の他の一態様では、電池温度調節装置は、暖機時には、中央部の電池セルに隣接する流路よりも両端部の電池セルに隣接する流路に優先的に前記温度調節媒体を流し、冷却時には、両端部の電池セルに隣接する流路よりも中央部の電池セルに隣接する流路に優先的に前記温度調節媒体を流す制御手段を備える。制御手段は、例えばＥＣＵ（Ｅｌｅｃｔｒｏｎｉｃ  Ｃｏｎｔｒｏｌ  Ｕｎｉｔ）である。一般的に、暖機時において、電池セルは、両端部の電池セルが特に目標温度より低温になりやすい。一方、冷却時において、電池セルは、中央部の電池セルが特に目標温度より高温になりやすい。従って、この態様では、制御手段が暖機時と冷却時で温度調節媒体の流し方を切り換えることにより、効率良く電池セルの暖機及び冷却を実行することができる。
【発明を実施するための最良の形態】
【００１２】
以下、図面を参照して本発明の好適な実施形態について説明する。
【００１３】
[第１実施形態]
まず、本発明の第１実施形態について説明する。
【００１４】
（全体構成）
図１は、第１実施形態に係る電池温度調節装置１００の概略構成図を示す。なお、図中の実線矢印は空気の流れを示し、破線矢印は信号の入出力を示している。
【００１５】
電池温度調節装置１００は、主に、吸入通路１と、ブロア２と、電池３と、電池温度センサ４と、収納ケース５と、排気通路６と、ＥＣＵ１０と、を備える。電池温度調節装置１００は、例えば、ハイブリッド車両（ＨＶ車）や電気自動車（ＥＶ車）などに搭載される。
【００１６】
ブロア２は、キャビン（車室）の空気を吸入通路１から吸入して、当該空気を電池３に対して送風可能に構成されている。ブロア２は、ＥＣＵ１０から供給される制御信号Ｓ１によって動作などが制御される。電池３は、二次電池などで構成され、車両内の構成要素における電源として機能する。電池３は、後述するように、直列接続された複数の電池セルからなる。電池温度センサ４は、電池３の温度（電池温度）を検出可能に構成されたセンサであり、検出した電池温度に対応する検出信号Ｓ２をＥＣＵ１０に供給する。
【００１７】
収納ケース５は、電池３を収納するためのケースである。収納ケース５は、吸入通路１と、排気通路６とに接続する。吸入通路１上には、ブロア２が設置されている。吸入通路１は、ブロア２の駆動により発生した風（以後、「ブロア風」と呼ぶ。）を収納ケース５内に送る。排気通路６は、電池３を暖機または冷却したブロア風を収納ケース５外へ排出する。
【００１８】
ＥＣＵ１０は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備えて構成され、主に、キャビンの空気を電池３に送風することで電池３の暖機が行われるように、ブロア２に対して制御を行う（即ち、ブロア２に対して制御信号Ｓ１を供給する）。この場合、ＥＣＵ１０は、一例として、電池温度センサ４から供給される検出信号Ｓ２に基づいて、ブロア２を駆動させる。
【００１９】
（収納ケース内の構成）
次に、収納ケース５内の構成について具体的に説明する。図２は、収納ケース５内の上面図の一例である。図２に示すように、収納ケース５内には、電池３が存在する。矢印は空気の流れを示す。
【００２０】
電池３は、電池セル３ａ乃至３ｈを含む複数の電池セルからなる。電池セルは、直列接続されており、収納ケース５内にブロア風が吸入通路１から流入する向きと交差する向きに所定の間隔で並べられている。具体的には、電池セルが並ぶ方向と、ブロア風の風向き（流動方向）とは垂直である。電池セルのうち、両端またはその付近に配列された電池セル（ここでは、電池セル３ａ乃至３ｄ）を、以後、「両端部の電池セル」と呼び、両端部の電池セルより内側（中央寄り）に配置される電池セル（ここでは、電池セル３ｅ乃至３ｆ）を、以後、「中央部の電池セル」と呼ぶ。
【００２１】
電池セル間、または電池セルと収納ケースとの間には、空気が流通可能な流路９が形成される。例えば、電池セル３ａと収納ケース５との間には、流路９ａが形成され、電池セル３ａと電池セル３ｂとの間には、流路９ｂが形成される。以後、両端部の電池セルに隣接する流路（ここでは、流路９ａ乃至９ｄ）を、「両端部の流路」と呼び、中央部の電池セルに隣接する流路（ここでは、流路９ｅ乃至９ｈ）を、以後、「中央部の流路」と呼ぶ。
【００２２】
吸入通路１は、第１の通路１３ｘと第２の通路１３ｙとに分岐する。そして、第１の通路１３ｘの終端部１５ｘと、第２の通路の終端部１５ｙとは、電池セルが並ぶ方向における収納ケース５内の両端付近（以後、単に、「収納ケース５の両端部」と呼ぶ。）に存在する。即ち、終端部１５ｘは、両端部の流路のうち片側の流路９ａ、９ｂ（以後、「第１端部の流路」と呼ぶ。）にブロア風を供給可能な位置に設置され、終端部１５ｙは、両端部の流路のうちもう片側の流路９ｃ、９ｄ（以後、「第２端部の流路」と呼ぶ。）にブロア風を供給可能な位置に設置される。より具体的には、終端部１５ｘは、第１端部の流路９ａ、９ｂの延在方向に存在し、終端部１５ｙは、第２端部の流路９ｃ、９ｄの延在方向に存在する。
【００２３】
以上のように、収納ケース５の両端部に終端部１５ｘ、１５ｙを配置することで、電池温度調節装置１００は、両端部の流路９ａ乃至９ｄへブロア風を積極的に流すことができる。具体的には、ＥＣＵ１０は、ブロア２に対し制御信号Ｓ１を送信することで、ブロア２を駆動させる。これにより、ブロア２のプロペラが回転し、吸入通路１から排気通路６へのブロア風が発生する。そして、第１の通路１３ｘを通過したブロア風は、終端部１５ｘを出た後、大部分が第１端部の流路９ａ、９ｂを通過する。同様に、第２の通路１３ｙを通過したブロア風は、終端部１５ｙを出た後、大部分が第２端部の流路９ｃ、９ｄを通過する。このようにすることで、電池温度調節装置１００は、特に昇温が遅く低温である両端部の電池セル３ａ乃至３ｄを、電池セル３ｅ乃至３ｈを含む中央部の電池セルよりも優先的に暖機することができる。特に、ブロア風は、最も端に位置する電池セル３ａ、３ｃ（以後、「端セル」と呼ぶ。）の両側に隣接する流路９ａ乃至９ｄを通過する。従って、電池温度調節装置１００は、端セル３ａ及び３ｃを最も積極的に暖機することができる。
【００２４】
一方、吸入通路１を第１の通路１３ｘと第２の通路１３ｙとに分岐させず、吸入通路１から収納ケース５の中央付近に向けてブロア風を流入させた場合、流路９が延在する方向と吸入通路１から供給されるブロア風の流れが平行であることに起因して、ブロア風は、中央部の流路にのみ流れることになる。よって、ブロア風を両端部の流路に行き渡らせるのが困難となる。これに対し、本実施形態では、吸入通路１を第１の通路１３ｘと第２の通路１３ｙとに分岐させ、終端部１５ｘ、１５ｙを収納ケース５の両端部に設けることで、ＥＣＵ１０は、両端部の流路にブロア風を積極的に流すことができる。
【００２５】
さらに本実施形態における効果について補足する。図３は、配列順に番号付けされた２８個の電池セルに対する電池セルの番号（セル番号）と電池セルの温度（セル温度）との関係を示す。図３において、電池３は、各電池セルの温度のうち最低温度（以後、「電池セルの最低温度」と呼ぶ。）が−３０℃から−１０℃になるまで加熱されている。図３に示すように、両端部の電池セルの昇温が中央部の電池セルの昇温に比べ遅い。また、一般に、直列接続された電池セルの低温時での入出力性能（充電及び放電の性能）は、電池セルの最低温度に影響を受ける。従って、電池温度調節装置１００は、両端部の電池セル（特に、端セル）を中央部の電池セルよりも優先的に暖機することで、電池セルの最低温度を効率的に昇温させ、電池セルの入出力性能を向上させることができる。
【００２６】
なお、図２に示す電池温度調節装置１００の構成は一例であり、本発明が適用可能な構成は必ずしもこれに限定されない。例えば、上述の例では、電池温度調節装置１００は、電池セル３ａ乃至３ｄの４つを優先的に暖機した。しかし、本発明が適用可能な構成はこれに限定されず、電池温度調節装置１００は、電池セルの総数等に基づき、優先的に暖機する電池セルの数をより多く、またはより少なく設定してもよい。この場合、終端部１５ｘ、１５ｙは、優先的に暖機する電池セルの個数に応じて口の大きさ（幅）が図２よりも広く、または狭く設定される。例えば、電池セル３ａ乃至３ｄに加え、電池セル３ｅ、３ｇを優先的に暖機する場合には、終端部１５ｘ、１５ｙは、矢印７０の幅を狭めるように、幅が大きく設定される。
【００２７】
（変形例）
上述の実施形態では、電池温度調節装置１００は、キャビンの空気を利用してブロア２により電池３を暖機する風を生成していた。しかし、本発明が適用可能な構成はこれに限らず、これに代わり、電池温度調節装置１００は、液体などの流体により電池３を暖機してもよい。この場合、ブロア２の代わりにポンプ等が設置される。そして、電池温度調節装置１００は、上述の実施形態と同様、収納ケース５の両端部に終端部１５ｘ、１５ｙを配置することで、両端部の電池セルを優先的に暖機することができる。なお、この変形例は、以後の実施形態においても適用可能である。
【００２８】
[第２実施形態]
上述の実施形態では、電池温度調節装置１００は、吸入通路１から分岐した第１の通路１３ｘと、第２の通路１３ｙを設け、その終端部１５ｘ、１５ｙを収納プレート５の両端部に設置していた。これに対し、第２実施形態に係る電池温度調節装置１００は、第１の通路１３ｘ及び第２の通路１３ｙを設ける代わりに、中央部の流路を遮風し、かつ両端部の流路にはブロア風を供給可能なプレート（整流板）を収納ケース５内に設置する。これによっても、電池温度調節装置１００は、中央部の電池セルよりも両端部の電池セルを優先的に暖機することができる。
【００２９】
図４（ａ）は、第２実施形態に係る収納ケース５内の上面図の一例である。図４（ａ）に示すように、電池温度調節装置１００は、収納ケース５内に矩形のプレート２０を有する。プレート２０は、収納ケース５内に固定された整流板である。プレート２０は、電池セルが並ぶ方向に延在し、中央部の電池セルと対向する。そして、プレート２０と収納ケース５の内壁とは、収納ケース５の両端部にブロア風が流通可能な通過口を形成する。図４（ａ）において、上述の通過口は、破線枠６０ｘ内の空間、及び破線枠６０ｙ内の空間が該当する。以後、破線枠６０ｘ内に形成された口を「第１の通過口」と表現し、破線枠６０ｙ内に形成された口を「第２の通過口」と呼ぶ。第１の通過口と第２の通過口は、それぞれ本発明における温度調節媒体流入部の一例である。
【００３０】
図４（ｂ）は、収納ケース５内を矢印９０方向に見た側面図の一例である。図４（ｂ）に示すように、プレート２０は、中央部の電池セルと対向し、かつ流路９ｅ乃至９ｈを含む中央部の流路とも対向するように収納ケース５の中央部分を仕切る。そして、プレート２０は、端セル３ａ、３ｃと端セル３ａ、３ｃに隣接する流路９ａ乃至９ｄとには対向しない。即ち、プレート２０と収納ケース５の内壁とは、収納ケース５の両端部分に幅７１、７２の間隔（空間）を形成する。言い換えると、プレート２０は、両端部の流路９ａ乃至９ｄにブロア風を供給可能な位置に設置されている。なお、幅７１の空間は上述した第１の通過口に該当し、幅７２の空間は上述した第２の通過口に該当する。
【００３１】
図４（ｃ）は、収納ケース５内の矢印９１方向に見た側面図の一例である。図４（ｃ）に示すように、プレート２０は、収納ケース５内を仕切るように収納ケース５内に固定されている。より具体的には、プレート２０は、端部２０ｙが収納ケース５の下面に固定され、かつ端部２０ｙの反対側の端部２０ｘが収納ケース５の上面の内壁に固定される。これにより、プレート２０は、中央部の流路に向かうブロア風を遮風する。
【００３２】
このように、プレート２０の長さを収納ケースの幅より小さくして第１及び第２の通過口を形成することで、電池温度調節装置１００は、両端部の流路９ａ乃至９ｄにブロア風を積極的に流すことができる。具体的には、ＥＣＵ１０の制御に基づきブロア２が駆動することで、吸入通路１から排気通路６へ流れるブロア風が発生する。そして、吸入通路１を通過したブロア風は、第１の通過口または第２の通過口を通過する。さらに、第１の通過口を通過したブロア風は、第１端部の流路９ａ、９ｂを通過し、第２の通過口を通過したブロア風は、第２端部の流路９ｃ、９ｄを通過する。従って、第２実施形態に係る電池温度調節装置１００は、中央部の電池セルよりも両端部の電池セル３ａ乃至３ｄを優先的に暖機し、特に端セル３ａ、３ｃを最も優先的に暖機することができる。
【００３３】
[第３実施形態]
第２実施形態において、プレート２０は固定式であった。これに対し、第３実施形態に係る電池温度調節装置１００は、固定式のプレート２０に代えて可動式のプレートを備える。これにより、電池温度調節装置１００は、不要に中央部の流路を塞ぐのを防ぐことができる。
【００３４】
図５（ａ）は、第３実施形態に係る収納ケース５内の上面図の一例である。図５（ａ）に示すように、電池温度調節装置１００は、矩形のプレート２１を有する。プレート２１は、可動式の整流板である。プレート２１の構造について図５（ｂ）、図５（ｃ）を用いて説明する。図５（ｂ）は、暖機時以外の場合（以後、「通常時」と呼ぶ。）における、収納ケース５内の矢印９３方向に見た側面図である。そして、図５（ｃ）は、暖機時における収納ケース５内の矢印９３方向に見た側面図である。
【００３５】
図５（ｂ）及び図５（ｃ）に示すように、プレート２１は、端部２１ｙが収納ケース５に固定されており、固定された端部２１ｙを中心として円（扇形）を描くように回転する。また、プレート２１は風動式である。具体的には、プレート２１は、固定された端部２１ｙと反対側の（向かい合う）端部２１ｘが湾曲している。また、収納ケース５内には、暖機時におけるプレート２１の位置を制限するストッパ２５が設けられている。
【００３６】
そして、プレート２１は、ブロア風の風力によって図５（ｂ）に示す状態から図５（ｃ）へ示す状態へ端部２１ｙを中心として回転移動する。具体的には、図５（ｂ）に示すように、通常時では、プレート２１は重力等に起因して収納ケース５内に横たわる。そして、暖機時では、ブロア風が発生することにより、湾曲した端部２１ｘは、プレート２１が横たわった状態でブロア風の風力を受ける。これにより、プレート２１は、ブロア風の風力により、図５（ｃ）に示すような起立状態になる。即ち、図５（ｃ）に示すように、暖機時において、プレート２１は、端部２１ｘが収納ケース５の上面に接するように、鉛直方向に起立している。このとき、ストッパ２５は、プレート２１が電池３側へ倒れないように、プレート２１の回転を制限する。これにより、プレート２１は、中央部の流路をブロア風から遮風するとともに、第１の通過口及び第２の通過口を形成する。一方、ブロア風が所定の風力以下になった場合、プレート２１は、例えば重力により、図５（ｃ）の状態から図５（ｂ）の状態へ戻る。
【００３７】
以上のように、第３実施形態に係る電池温度調節装置１００は、暖機時にはプレート２１がブロア風の風力によって起立し、第１及び第２の通過口が形成される。これにより、両端部の流路に積極的にブロア風を流すことができる。一方、ブロア２が駆動していない通常時では、電池温度調節装置１００は、プレート２１が収納ケース５内で横たわるため、不要に中央部の流路が塞がれない。
【００３８】
なお、プレート２１は、風動式に限らず、これに代えて電動式であってもよい。この場合、プレート２１は、例えば、ＥＣＵ１０と電気的に接続し、ＥＣＵ１０の制御信号に基づき、暖機時以外では図５（ｂ）の状態になり、暖機時は図５（ｃ）の状態になるように制御される。
【００３９】
[第４実施形態]
第１実施形態から第３実施形態においては、第１の通路１３ｘ及び第２の通路１３ｙ、または固定式のプレート２０、若しくは可動式のプレート２１を設置することで、両端部の流路に積極的にブロア風を流し、両端部の電池セルを暖機していた。これに加え、第４実施形態に係る電池温度調節装置１００は、両端部の流路を通過したブロア風を中央部の流路へ供給する整流板を収納ケース５内に設ける。このようにすることで、第４実施形態に係る電池温度調節装置１００は、両端部の電池セルを優先的に暖機しつつ、中央部の電池セルも暖機することができる。
【００４０】
図６は、第４実施形態に係る収納ケース５内の上面図の一例である。図６に示すように、中央部の電池セルと対向するように、固定式のプレート２０が設置されている。そして、プレート２０と収納ケース５との間に、ブロア風が流通可能な第１及び第２の通路口が形成される。
【００４１】
また、収納プレート５内には、両端部の流路を通過したブロア風を中央部の流路へ供給可能なように複数の整流板３０が設置されている。図６では、整流板３０は、整流板３０ａ乃至３０ｈを含む。整流板３０ａ乃至３０ｈは、電池セル、またはプレート２０、若しくは収納ケース５の内壁の少なくとも一方に固定されている。そして、整流板３０ａは、電池セル３ｂとプレート２０とに跨って、即ち、電池セル３ｂとプレート２０との間を塞ぐように設置される。言い換えると、整流板３０ａは、第１の通路口を通過したブロア風を第１端部の流路９ａ、９ｂへ供給可能な位置に設置される。さらに、整流板３０ｂは、電池セル３ｅと収納ケース５との隙間を塞ぐように設置される。即ち、整流板３０ｂは、第１端部の流路９ａ、９ｂを通過したブロア風を流路９ｂより収納ケース５の内側（中央側）に隣在する流路９ｅへ供給可能な位置に配置される。そして、整流板３０ｃは、流路９ｅを通過したブロア風を、中央側に隣在する流路９ｆに供給可能に設置され、整流板３０ｄは、流路９ｆを通過したブロア風を流路９ｇへ供給可能に設置される。同様に、第２端部の流路９ｃ、９ｄを通過したブロア風を流路９ｉ、流路９ｊ、そして流路９ｋへと順に供給可能なように、整流板３０ｅ乃至３０ｈが収納ケース５内にそれぞれ配置される。
【００４２】
このように整流板３０ａ乃至３０ｈを配置することで、電池温度調節装置１００は、両端部の流路９ａ乃至９ｄを通過したブロア風を、流路９ｅ乃至９ｌを含む中央部の流路へ流すことができる。まず、ＥＣＵ１０の制御に基づき駆動したブロア２は、吸入通路１から排気通路６へと向かうブロア風を発生させる。そして、吸入通路１から収納ケース５へ流入したブロア風は、プレート２０により、第１の通過口を通過するブロア風と第２の通過口を通過するブロア風とに分けられる。そして、第１の通路口を通過したブロア風は、第１端部の流路９ａ、９ｂを最初に通過する。第１端部の流路９ａ、９ｂを通過したブロア風は、流路９ｂより収納ケース５の内側に隣在する流路９ｅを通過する。そして、流路９ｅを通過したブロア風は、流路９ｆ、流路９ｇへと順に通過する。そして、流路９ｇを通過したブロア風は、流路９ｈを含む流路９ｇより内側の流路へ流れる。なお、電池セル３ｈを含む電池セル３ｇより中央側の電池セルには、整流板３０は設けられていない。従って、流路９ｈを含む流路９ｇより中央寄りの流路には、ブロア風が排気通路６に向かって同一方向に流れる。
【００４３】
同様に、第２の通路口を出たブロア風は、第２端部の流路９ｃ、９ｄを最初に通過後、流路９ｉを通過し、その後流路９ｊへ流れる。そして、流路９ｊを流れたブロア風は、流路９ｋを通過後、流路９ｌを含む流路９ｋより中央寄りの流路に流れる。このとき、ブロア風は、流路９ｌを含む流路９ｋより中央寄りの流路を同一方向で通過し、排気通路６へ至る。
【００４４】
以上のように、第４実施形態に係る電池温度調節装置１００は、両端部の流路を通過したブロア風が、その他の電池セル間の流路を全て通過するように複数の整流板３０が設けられる。このようにすることで、電池温度調節装置１００は、両端部の電池セルを優先的に暖機しつつ、中央部の電池セルについても暖機することができる。
【００４５】
[第５実施形態]
第４実施形態に係る電池温度調節装置１００は、整流板３０を設け、両端部の流路を通過したブロア風を中央部の流路にも流し、両端部の電池セルを優先して暖機しつつ、中央部の電池セルの暖機も実行していた。一方、電池３が目標温度よりも高温になった場合、電池温度調節装置１００は、電池３を冷却する必要がある。また、冷却時では、電池３は、特に中央部の電池セルが目標温度よりも高温になる。即ち、冷却時では、電池温度調節装置１００は、両端部の電池セルよりも中央部の電池セルを優先的に冷却する必要がある。そこで、第５実施形態における電池温度調節装置１００は、固定式のプレート２０に代えて風動式のプレート２１を有し、暖機時にはブロア風を両端部の流路から中央部の流路へと流し、冷却時にはブロア風を中央部の流路から両端部の流路へと流す。このようにすることで、電池温度調節装置１００は、電池３の暖機及び冷却の両方を適切に実行することができる。
【００４６】
図７は、第５実施形態における収納ケース５内の上面図の一例である。具体的には、図７（ａ）は暖機時における収納ケース５内の上面図を示し、図７（ｂ）は冷却時における収納ケース５内の上面図を示す。図７（ａ）及び図７（ｂ）に示すように、第４実施形態と同一の位置に、整流板３０ａ乃至３０ｈが設置されている。整流板３０ａ乃至３０ｈは、電池セル、または収納ケース５の内壁の少なくとも一方に固定されている。プレート２１は、ブロア風の風力により図５（ｂ）に示すような横たわった状態と図５（ｃ）に示すように起立した状態とを交互に遷移可能な風動式の整流板である。
【００４７】
暖機時において、ブロア２が駆動されると、プレート２１は、ブロア風の風力により、図５（ｂ）の状態から図５（ｃ）の状態へ遷移する。具体的には、暖機時において、ブロア２は、ＥＣＵ１０の制御に基づき、暖機時に吸入通路１から収納ケース５へブロア風を流す。このときのブロア２の（プロペラの）回転方向を、以後、「正回転」と呼ぶ。そして、このとき、ブロア風の流動方向は、吸入通路１から排気通路６へと向かう方向になる。ブロア風が発生することにより、湾曲したプレート２１の端部２１ｘは、プレート２１が横たわった状態でブロア風の風力を受ける。これにより、プレート２１は、収納プレート５に固定された端部２１ｙを中心に回転し、図５（ｃ）に示すような起立状態になる。
【００４８】
そして、プレート２１が起立状態になることで、電池温度調節装置１００は、図７（ａ）に示す状態となる。より具体的には、プレート２１と収納ケース５により第１の通路口と、第２の通路口が形成される。さらに、プレート２１が起立することにより、整流板３０ａ、３０ｃ、３０ｅ、及び３０ｇと、プレート２１とが接触した状態になる。これにより、整流板３０は、両端部の流路を通過したブロア風を中央部の流路へと供給することが可能となる。従って、電池温度調節装置１００は、第４実施形態と同様、暖機時において、両端部の電池セルを優先的に暖機しつつ、中央部の電池セルについても暖機することができる。
【００４９】
なお、整流板３０ａ、３０ｃ、３０ｅ、及び３０ｇは、ブロア風の流れを調節する機能に加え、プレート２１の位置を制限するストッパとして機能を有してもよい。即ち、この場合、プレート２１は、図５（ｂ）及び図５（ｃ）に示すストッパ２５に代えて、整流板３０ａ、３０ｃ、３０ｅ、及び３０ｇにより、電池３側へ倒れないように回転が制限される。
【００５０】
一方、冷却時において、ブロア２は、プロペラが正回転とは反対の回転（以後、「逆回転」と呼ぶ。）をするようにＥＣＵ１０により制御される。つまり、ブロア２は、収納ケース５から吸入通路１への風向きが生じるように逆回転する。その結果、冷却時でのブロア風の流動方向が、暖機時でのブロア風の流動方向と逆になる。これにより、プレート２１は、吸入通路１へ向かう方向への風圧を受ける。従って、プレート２１は、図５（ｃ）に示す起立状態から図５（ｂ）に示す横たわった状態に変わる。
【００５１】
そして、プレート２１が収納ケース５内に横たわった状態になることで、電池温度調節装置１００は、図７（ｂ）に示す状態となる。これにより、排気通路６から吸入通路１へ向かうブロア風は、流路９ｈ、９ｌを含む中央部の流路を流れる。また、排気通路６から送られるブロア風は、例えばエアコンにより冷却されたキャビンの空気である。従って、冷却時において、電池温度調節装置１００は、ブロア２を暖機時と逆回転させ、ブロア風の流動方向を変えることで、中央部の流路にブロア風を送風することができる。即ち、電池温度調節装置１００は、特に高温となる中央部の電池セルを集中的に冷却することができる。
【００５２】
以上のように、第５実施形態に係る電池温度調節装置１００は、風動式のプレート２１を設置し、暖機時と冷却時とでブロア風の流動方向を変えることで、暖機時は特に低温な両端部の電池セルを優先的に暖機し、冷却時は特に高温な中央部の電池セルを冷却することができる。従って、電池温度調節装置１００は、状況に応じて電池セルを効率よく暖機及び冷却することができる。
【００５３】
なお、プレート２１は、風動式に限らず、電動式であってもよい。この場合、ＥＣＵ１０は、暖機時にはプレート２１が起立するように制御信号をプレート２１の駆動機構などに送信し、冷却時にはプレート２１が横たわるように制御信号をプレート２１の駆動機構などに送信する。なお、電池温度調節装置１００は、冷却時にブロア２を逆回転させる代わりに、排気通路６に別個のブロアを設置しておき、冷却時にＥＣＵ１０の制御に基づき駆動させてもよい。これによっても、電池温度調節装置１００は、冷却時と暖機時とでブロア風の流動方向を変えることができる。
【図面の簡単な説明】
【００５４】
【図１】電池温度調節装置の概略構成を示す図である。
【図２】第１実施形態に係る電池温度調節装置の収納ケース内の上面図の一例である。
【図３】電池セルの配列番号とそれに対応するセル温度との関係を示すグラフである。
【図４】第２実施形態に係る電池温度調節装置の収納ケース内の上面図及び側面図の一例である。
【図５】第３実施形態に係る電池温度調節装置の収納ケース内の上面図及び側面図の一例である。
【図６】第４実施形態に係る電池温度調節装置の収納ケース内の上面図の一例である。
【図７】第５実施形態に係る電池温度調節装置の収納ケース内の上面図の一例である。
【符号の説明】
【００５５】
１  吸入通路
２  ブロア
３  電池セル
４  電池温度センサ
５  収納ケース
６  排気通路
９  流路
２０、２１  プレート
３０  整流板
【図１】
2010092722.tif 000003
【図２】
2010092722.tif 000004
【図３】
2010092722.tif 000005
【図４】
2010092722.tif 000006
【図５】
2010092722.tif 000007
【図６】
2010092722.tif 000008
【図７】
2010092722.tif 000009